(57)【要約】【課題】透明または半透明のガラス製器が有する近代的で清涼感のある質感と、蒔絵の加飾を有することによって豪奢な質感を演出する漆器の質感とを融合させることによって、両者の質感を併せ持つガラス製器を提供する。【解決手段】透明なガラス製の器もしくは板を生地１０とし、その裏面１０Ｂに、通常とは逆の逆工程順序の描画工程によって蒔絵の加飾２０を施した上、蒔絵の加飾２０を施した部分を保護塗膜３１，３２によって被覆する。そして、蒔絵の加飾２０は、ガラス製の生地１０表面１０Ａ側から観察したときにおいて、通常の描画工程によって描画した蒔絵の加飾２０として鑑賞可能とする。【選択図】  図１
2004195764.tif 000002
【特許請求の範囲】
【請求項１】
透明なガラス製の器もしくは板を生地とし、その裏面に複数の描画工程からなる蒔絵の加飾を施した上、少なくとも該加飾を施した部分を透明または不透明の保護塗膜によって被覆してなり、
前記複数の描画工程は、前記器もしくは板を生地として、その裏面に対して、通常の蒔絵を描画する際の最終の描画工程から最初の描画工程へと進める逆工程順序によって実施され、該逆工程順序によって描画された前記蒔絵の加飾は、前記生地の表面側から該生地の厚みを透過して観察したときにおいて、該生地の表面側から通常の蒔絵を描画する際の工程順序によって描画した蒔絵の加飾として鑑賞されること、を特徴とする、
蒔絵技法による加飾を有するガラス製器。
【請求項２】
前記ガラス製の器もしくは板の生地は、少なくとも裏面側にはフロスト加工もしくは透明塗料を塗布したこと、を特徴とする、
請求項１に記載の蒔絵技法による加飾を有するガラス製器。
【請求項３】
前記逆工程順序による描画工程は、金箔を前記ガラス製の器もしくは板状生地の裏面に、蒔絵の裏面もしくは該蒔絵外周のいずれかの部分に付着させる箔置き工程を含むこと、を特徴とする、
請求項１または請求項２に記載の蒔絵技法による加飾を有するガラス製器。
【請求項４】
前記箔置き工程は、前記逆工程順序による描画工程の最終工程に含まれ、前記器もしくは板状生地の表面側から該生地の厚みを透過して観察したときにおいて、前記箔置き工程前の描画工程によって描画された加飾の全体を裏面側から金箔によって被覆すること、を特徴とする、
請求項３に記載の蒔絵技法による加飾を有するガラス製器。
【請求項５】
前記保護塗膜がウレタン系塗料であること、を特徴とする、
請求項１ないし請求項４のいずれかに記載の蒔絵技法による加飾を有するガラス製器。
【発明の詳細な説明】
【０００１】
【発明の属する技術分野】
本発明は、透明なガラス製の器もしくは板を生地として、これに伝統的な蒔絵の加飾を施し、容器または装飾体として使用できる蒔絵技法を利用した加飾を有するガラス製器に関する。
【０００２】
【従来の技術】
食器等として広く利用されているガラス製器は、材料が硬質で透明であることにより、近代的で清涼感のある質感を演出することができる反面、陶器や磁器のような彩色用の釉薬の焼成による耐久性のある絵付けを施すことができないので、高級感に乏しく豪華な感じを演出することが難しい。一方、伝統的な漆器においては、蒔絵等の加飾を施すことによって、高級感溢れる極めて豪華な質感を表現することができるが、非近代的で暗いイメージを払拭することができず、取扱いに難しい面があることもあって、日常的に利用される機会は漸減の一途を辿っている。そして、このような事情が伝統的な漆器産業における後継者不足に拍車をかけているということができる。
【０００３】
ところで、ガラス製器に限定することなく、広く透明または不透明の器に対して加飾を施すことによって、使用上の興趣を高めたり、豪華さ、高級感を追求することを目的とする多くの技術が提供されている（例えば、実開昭５５−１０６６６８号公報、実開昭５６−８７８８４号公報、特開昭６３−２５４０１６号公報）。
【０００４】
そこで、これらの技術の内容とそこに含まれる問題点を順次に概観するに、実開昭５５−１０６６６８号公報に示されている技術は、皿などの形状に成形した卑金属製の基材全体をメッキで被覆し、その表面側に第１層のガラス層を形成し、このガラス層に模様を付けた後、この上に第２層のガラス層を形成するものである。したがって、この技術による完成品は、概ね、金属製の皿の表面をガラス質で被覆した概観を呈する。ガラス層が十分に厚ければ透明感を演出できるが、全体としてガラス製の器とは認識されない。また、付与された模様は、ガラス層内に封入されているので剥離するおそれはないが、使用する塗料は、少なくともガラスの軟化温度である６００度から８００度の温度に耐えるものである必要があり、最も特殊なものに限定される。そして、その製作面から見るに、極めて煩雑である。
【０００５】
実開昭５６−８７８８４号公報に示される技術は、材質を問わず盆や皿等の器体の底面に対し、釉薬による絵付けをした陶器または磁器製の板を接着することによって両者の利点を併有させることを目的とするもののようである。この技術においては、器体がガラス製であるときは、完成品はガラス製の器として認識されるが、底面に接着された陶板は、器体の底に嵌め込まれた異質物の感が強く出る。経時使用において器体と陶板との剥離、両者間への異物の侵入、黴の発生が懸念される。
【０００６】
また、特開昭６３−２５４０１６号公報に示される技術は、２度の射出成形を経ることによって、１度目の射出成形部分と２度目の射出成形部分との間に絵柄を封じ込めることによって、絵柄の耐久性を確保しようとする内容である。したがって、使用される材料は、樹脂材料であり、また、食器の表面側を形成する射出成形部分は、透明の樹脂材料からなる。絵柄が剥離することはないが、全体としては、プラスチック容器特有の高級とはいえない品位感を有する。
【０００７】
【発明が解決しようとする課題】
上記従来の技術において共通に意図されていることは、無地の器の無味乾燥感を解消し、食卓等の場の雰囲気に適合するようにするとともに、より高級感のある豪華な器等を得ようとするものであり、その目的のために器に付与される絵柄等の耐久性を確保しようとするものである。
【０００８】
そして、本発明の目的とするところは、上記従来技術において目的とされているところと概ね共通するのであるが、本発明は、併せて透明または半透明のガラス製の器と、伝統的な漆器の絵付け技術とを融合させることによって、ガラス製の器が有する近代的な清涼感と漆器の重厚な豪華さとを併せ持つ器を提供することを目的とする。
【０００９】
【課題を解決するための手段】
上記目的を達成するための手段として本発明は、次のような構成を採用する。
【００１０】
本発明に係る蒔絵技法による加飾を有するガラス製器は、透明なガラス製の器もしくは板を生地とし、その裏面に複数の描画工程からなる蒔絵の加飾を施した上、少なくともこの加飾を施した部分を透明または不透明の保護塗膜によって被覆してなり、この際、複数の描画工程は、器もしくは板を生地とし、その生地裏面に対して、通常の蒔絵を描画する際の最終の描画工程から最初の描画工程へと進める逆工程順序によって実施され、逆工程順序によって描画された蒔絵の加飾は、生地の表面側からその生地の厚みを透過して観察したとき、生地の表面側から通常の蒔絵を描画する際の工程順序によって描画した蒔絵の加飾として鑑賞されることを特徴とする。
【００１１】
この構成によれば、透明なガラス製の器もしくは板を生地としたその裏面に施された蒔絵の加飾は、その生地の表面側からその厚みを透して観察され得る。この際、蒔絵は、生地の裏面側から通常の描画工程とは逆の逆工程順序によって描画されているので、その表面側から観察したときに正しい向きの図柄として鑑賞される。また、蒔絵は、生地の裏面側のみに施工されているとともに、蒔絵の厚みは無視し得るので、完成品は、あくまでもガラス製の器として認識される。そして、完成品の使用に際しては、蒔絵の加飾が裏面側に施工されているので、器に盛られた内容物、ナイフやフォーク、箸との接触が回避され、正常な使用によっては加飾が損傷することがない。さらに、蒔絵の加飾を被覆する保護塗膜は、使用時以外の器の洗浄時等において加飾部分を保護することができる。
【００１２】
蒔絵技法による加飾を有するガラス製器におけるガラス製の器もしくは板状の生地は、少なくとも裏面側をフロスト加工もしくは透明塗料を塗布することができる。
【００１３】
この構成によれば、蒔絵の加飾を付与する部分である器もしくは板状生地の裏面には、フロスト加工による微細な凹凸が形成されている。したがって、加飾用の漆または合成塗料の付着強度が十分に確保されるので、蒔絵用の塗料の付着性を高めるための生地の裏面に対する下塗り工程を省略することが可能であり、下塗りを省略することによって、生地の表面側から蒔絵を観察した場合において、下塗りを介在させない鮮明な加飾とすることができる。フロスト加工に代わって、透明塗料を塗布しても同様な効果は得られる。
【００１４】
蒔絵技法による加飾を有するガラス製器の加飾における逆工程順序による描画工程は、金箔をガラス製の器もしくは板状生地の裏面のいずれかの部分に付着させる箔置き工程を含むことができる。
【００１５】
この構成によれば、漆器特有の蒔絵技法の箔置きによる加飾をガラス製の器に反映させた完成品を得ることができる。
【００１６】
蒔絵技法による加飾を有するガラス製器における箔置き工程は、逆工程順序による描画工程の最終工程に含まれ、器もしくは板状生地の表面側からその生地の厚みを透過して加飾を観察したときにおいて、箔置き工程前の描画工程によって描画された加飾の全体を裏面側から被覆することができる。
【００１７】
この構成によれば、金箔は、その後工程で付与される保護塗膜により蒔絵を保護することができるとともに、金箔が蒔絵の背景となることから、生地の表面側から観察される蒔絵は、金箔上に描かれた豪華な加飾として鑑賞される。
【００１８】
蒔絵技法による加飾を有するガラス製器における保護塗膜は、ウレタン系塗料を被覆形成することができる。
【００１９】
この構成によれば、保護塗膜を軟質のウレタン系塗料を塗布することでその材料特有の高い摩擦力、断熱性、吸音性を発揮することができるので、ガラス製器に見られる冷い手触りや、衝撃的な硬質音の発生、テーブル上での滑り易さを解消することができる
【００２０】
【発明の実施の形態】
以下、図面を引用しながら本発明の実施の形態を説明する。
【００２１】
本発明に係る、蒔絵技法による加飾を有するガラス製器は、透明なガラス製の生地１０の裏面１０Ｂ側に、蒔絵画法によって花鳥、風月、人物もしくは風景等の任意画題を、その蒔絵を描く逆工程順序によって加飾２０を付与し、少なくとも加飾２０を施した部分を保護塗膜３１，３２によって被覆してなる（図１（Ａ），（Ｂ））。この蒔絵技法による加飾２０は、生地１０の表面１０Ａ側からその生地１０の厚みを透過して、通常工程順序による加飾２０として鑑賞することができる。
【００２２】
生地１０は、透明ガラス製であり、底面部１１とその周囲に連続する側面部１２とからなる円形の浅い皿状に成形されている。また、側面部１２のエッジ部分１２ａは、角が立たないように滑らかな曲面に処理されている。この生地１０の形状は、コップのように内容積を確保しようとする深い形状のもの、盆のように面を確保しようとする浅い形状のもの、椀のように深みがあるもの、あるいは、オードブル用容器のように大きいもの、というように任意の器形状としたものを採択することができ、通常は、硬質ガラスが用いられる。また、生地１０は、半透明のガラス製であってもよく、半透明には、有色半透明の他、フロスト加工を経たもののような無色半透明を含む。
【００２３】
本実施の形態に示す蒔絵技法による加飾を有するガラス製器は、加飾２０として、生地１０の側面部１２全体に金箔２２を環状に貼り、その中央位置に歌舞伎役者風の人物２１を配置した図案である。そして、このような蒔絵技法による加飾２０を有するガラス製器は、採択された生地１０の裏面１０Ｂに対し、次のような加工を施工して製造される（図２）。
【００２４】
下塗り工程（１）は、次工程の蒔絵用に生地１０に対する親和性が十分に確保できない塗料等を使用しようとする場合に、その親和性を確保するために生地１０の裏面１０Ｂ全体にプライマを塗布する工程である。したがって、生地１０がフロスト加工されている場合や、ガラス材料に対して良好な親和性を有する塗料を使用するときには、この工程を省略して差し支えない。プライマには、透明の合成塗料を用いるのが好適である。
【００２５】
描画工程（２）は、加飾２０としての蒔絵を描く工程であり、この描画工程（２）は、通常、絵要素Ａ…Ｄを順次に描き加えていく複数の描画工程（２−１）ないし（２−５）からなる。なお、描画工程（２）における絵要素Ａ…Ｄとは、画題が例えば人物２１である場合には（図１（Ａ））、人体Ａ、頭髪Ｂ、目鼻口Ｃ、衣服Ｄ等の画題を構成している各部分をいう。そして、本発明における蒔絵の加飾２０は、例えば、蒔絵技法によってこのような人物を描く際の通常の工程順序が、人体Ａ、頭髪Ｂ、目鼻口Ｃ、衣服Ｄの順序であるとした場合には、その逆工程順序である衣服Ｄ、目鼻口Ｃ、頭髪Ｂ、人体Ａの順序で進められるのである。なお、この工程には、多種類の塗料の他、金粉、銀粉、顔料の粉末等が用いられる。
【００２６】
描画工程（２）における箔置き（２−５）工程は、ある程度の面積を有する金箔を加飾２０の構成要素として他の加飾２０に重ねてまたは独立に貼着する工程である。ここでは、金箔２２を背景的要素として用いていることから描画工程（２）の最終工程としてあるが、独立の加飾２０の要素として用いる場合には、必ずしも最終工程とする必要はない工程である。箔置き（２−５）には、糊材としてエポマラック（大豊塗料株式会社製  商品名）等を用いることができる。
【００２７】
中塗り工程（３）は、加飾２０を施した後の生地１０の裏面１０Ｂに対して、少なくとも加飾２０の部分全体を覆うように蒔絵との親和性が確保できる合成漆等の塗料を用いてコーティングする工程である。この工程によって加飾２０の部分は、保護塗膜３１によって被覆されることとなる。中塗りには、グラスライト（カシュー株式会社製  商品名）を用いることができる。
【００２８】
上塗り工程（４）は、中塗り工程（３）によって形成された保護塗膜３１の上に重ねてアルカリ洗剤や酸性食品の酸、塩分等に耐える耐久性の大きい保護塗膜３２を形成する工程である。上塗りには、ストロンエース（カシュー株式会社製商品名）等を用いることができる。なお、保護塗膜３１，３２の色は、加飾２０全体の背景色となる。また、中塗り工程（３）または上塗り工程（４）のいずれかは、完成品の用途によっては省略することができる。
【００２９】
次いで、上記工程を実体的に説明する（図１，図３）。生地１０の表面１０Ａ側に下絵Ｆを容易に取り外すことができるように貼り、好ましくは回転可能な作業台の上に生地１０をうつ伏せにして置く。この際の下絵Ｆには、描こうとする図案を左右反転させたものを用いる。下絵Ｆは、熟練工にとって不要である場合もあるが、同品質の製品を量産する場合には、用いることが適切である。次いで、上向きとなっている生地１０の裏面１０Ｂに対し、蒔き絵の加飾２０を構成する絵要素Ａ…Ｄを通常の蒔絵の順序とは逆にして、すなわち絵要素Ｄから絵要素Ａの順序で描画する。この過程で、必要に応じて透明塗料を施し、金粉K（金粉に限定されることなく、銀粉等の金属粉、色粉である顔料などを使用するが、説明の都合上代表して「金粉」ということにする。）等を蒔き、その上に、任意の不透明色の塗料を重ね塗りすることによって、生地１０A側から見たとき、任意の色に、任意の粉を蒔いたように見える。
【００３０】
生地１０の側面部１２に環状に糊材２２ａを塗布し、金箔２２を載せる。金箔２２は、極めて軟らかい獣毛の筆のようなブラシ等で軽く押さえ、浮いた部分がないようにする。糊材２２ａが乾燥した時点で、余分の金箔２２を除去する。なお、この金箔２２付与は、他の加飾２０の要素から独立しているので、最初に済ませておいてもよい。次いで、生地１０の裏面１０Ｂ全体に保護塗膜３１用の塗料を塗り、乾燥を待って、保護塗膜３２用の塗料を塗る。
【００３１】
このような要領によって様々な態様の蒔絵技法による加飾を有するガラス製器を得ることができる。例えば、箔置き（２−５）工程を逆工程順序による描画工程（２）の最終工程実施し、箔置き工程前の描画工程（２）によって描画された加飾２０の全体を裏面側から金箔２２によって被覆することができる（図４）。ガラス製の生地１０には、角形の底面部１１の四周に側面部１２を形成した浅い角皿状のものが採用され、加飾２０の画題は、ボタンの花２３である。金箔２２には、生地１０の底面部相当の大きなものが用いられ、この金箔２２は、ボタンの花２３を仕上げた後に、底面部１１と４５度位置ずれする向きにして貼着されている。したがって、ボタンの花２３の加飾２０は、金箔２２の上に直接描かれたと同様の視覚効果を有する。なお、和紙等の強度部材によって裏打ちされていない限り金箔２２上に蒔絵を直接描くことは一般に困難である。
【００３２】
また、上記実施例における生地１０は、椀、皿、盆のような容器の生地に蒔絵を施すことを説明したが、この生地１０を、一般的に使用される硬質板ガラスを所定の形状に切断して得、その平板状の生地１０に前述したように蒔絵を描画することもできる。この板状の生地１０に蒔絵を施したときは、コップ敷きや、簡単な菓子皿として使用でき、さらには、壁面での埋込式装飾タイル、あるいはステンドガラス風に装飾ガラスとして使用でき、インテリア等々、用途は器のみに限らず、需要用途は拡大していく。
【００３３】
なお、上記いずれの実施の形態においても、外層の保護塗膜３２の材料は、ウレタン系塗料によって形成することができる。保護塗膜３２をウレタン入り合成塗料によって形成することについての技術的な問題点は特になく、これによって、ガラス製器の使い勝手上の欠点、すなわち、冷ややかな感触を覚える手触りや、耳障りな硬質音の発生または衝撃的な硬い音の発生、滑り易さを解消することができる。そして、ウレタン合成塗料の表面を、柚子肌または梨地状に形成させることによって、前記異音の発生が緩和され、摩擦性能も向上する。
【００３４】
【発明の効果】
本発明に係る蒔絵技法による加飾を有するガラス製器は、透明または半透明のガラス製の生地の裏面に、通常とは逆の、逆工程順序の描画工程の採用によって、ガラス製生地の表面側からの観察において通常状態として鑑賞することができるの蒔絵の加飾を可能とするとともに、蒔絵の加飾を施した部分を保護塗膜によって被覆するから、経時使用における加飾の損傷を最小限に抑えながら、ガラス製の器が有する近代的清涼感と漆器が有する重厚な豪奢感とを両立することができ、さらには、金属箔を保護塗膜によって密着・密封するから、その金属光沢を保持させて鑑賞でき、永くその鑑賞を維持できるるという効果を奏する。
【図面の簡単な説明】
【図１】本発明の実施の形態を示す斜視図および要部の拡大断面図。
【図２】本発明の実施の形態における製造工程を示すブロック図。
【図３】本発明の実施の形態における製造工程を示す分解図。
【図４】本発明の他の実施形態を示す斜視図。
【符号の説明】
１０        生地
１０Ａ      表面
１０Ｂ      裏面
２０        加飾
２２        金箔
３１        保護塗膜
３２        保護塗膜
【図１】
2004195764.tif 000003
【図２】
2004195764.tif 000004
【図３】
2004195764.tif 000005
【図４】
2004195764.tif 000006